(57)【特許請求の範囲】
【請求項１】
デッキ構造は、プラスチック製で正方形升状に形成され支脚によって略水平に支持される支持構造体と、ウッドデッキ材，フロアパネル等の表面板と、該表面板を前記支持構造体の上面に重畳固定する際の媒介となるプラスチック製の格子状成形体とからなり、支持構造体の外側面に互いに嵌り合う溝と突起が形成されていて該支持構造体どうしを互いに連結し得るようにするとともに、格子状成形体は支持構造体と略々同径の正方形状に形成され、該格子状成形体が水平面内で９０度回転させた状態にて定置方向を問わず支持構造体上に固着されるように該支持構造体の上面に複数の爪片が突設され、該格子状成形体の上面に複数本の位置決溝が形成され、表面板の下面には突条が形成され、該位置決溝に該突条を合致させて該格子状成形体の下面から位置決溝内に挿通したタッピングネジを該突条に螺合することにより該格子状成形体の上面に複数枚の表面板を固着したうえ該格子状成形体を前記爪片に係合させることを特徴としたデッキの表面板取付施工方法。
【発明の詳細な説明】
【０００１】
【発明の属する技術分野】
本発明は、ベランダ，バルコニー等の床面にウッドデッキ材，フロアパネル等の表面板を簡単に敷き詰めることができるデッキの表面板取付施工方法に関するものである。
【０００２】
【従来の技術】
支持脚によってフロアパネルを水平に支持してガーデンフロア等を簡単に構成できるようにした床構造は特開平８−３５３１６号公報等により従来から知られており、その支持高さを自在に調節できるように支持脚をネジ軸によって構成することも知られている。また、特開２０００−１７７２３号公報等に示されたガーデンフロアでは、フロア本体の上に表面板を係合させて並べられるようにしている。
【０００３】
【発明が解決しようとする課題】
ところで上記特開平８−３５３１６号公報に示された構造では、ウッドデッキ材，フロアパネル等の表面板の寸法，形状，強度等が異なる場合に対応できない欠点があり、消費者の種々の要望に応じられないおそれがあった。また、特開２０００−１７７２３号公報等に示された構造では、下面に鉤状の係合部が一体に形成された特殊仕様の表面板を使わねばならず、普通の表面板を使用できない欠点があった。
そこで本発明は、上記問題点を解消し、各種表面板を簡単に取り付け施工できるデッキの表面板取付施工方法を提供しようとするものである。
【０００４】
【課題を解決するための手段】
そのために本発明に係るデッキの表面板取付施工方法は、デッキ構造が、プラスチック製で正方形升状に形成され支脚によって略水平に支持される支持構造体と、ウッドデッキ材，フロアパネル等の表面板と、該表面板を前記支持構造体の上面に重畳固定する際の媒介となるプラスチック製の格子状成形体とからなり、支持構造体の外側面に互いに嵌り合う溝と突起が形成されていて該支持構造体どうしを互いに連結し得るようにするとともに、格子状成形体は支持構造体と略々同径の正方形状に形成され、該格子状成形体が水平面内で９０度回転させた状態にて定置方向を問わず支持構造体上に固着されるように該支持構造体の上面に複数の爪片が突設され、該格子状成形体の上面に複数本の位置決溝が形成され、表面板の下面には突条が形成され、該位置決溝に該突条を合致させて該格子状成形体の下面から位置決溝内に挿通したタッピングネジを該突条に螺合することにより該格子状成形体の上面に複数枚の表面板を固着したうえ該格子状成形体を前記爪片に係合させることを特徴とする。
【０００５】
【発明の実施の形態】
次に図面に従い本発明に係るデッキ構造の実施の形態を説明する。図１は本発明のデッキ構造を構成するプラスチック製の支持構造体の斜視図で、該支持構造体１は４つの側壁２ａ〜２ｄからなる正方形升状に形成され、その相隣わる側壁２ａと側壁２ｂの外側面に一対の蟻孔形溝３および半円形溝４が形成され、側壁２ｃと側壁２ｄの外側面には該蟻孔形溝３および半円形溝４に遊嵌し得る金床形突起５および半円形突起６が形成されている。なお、図２にその部分拡大斜視図を示すように、３ａは蟻孔形溝３の開口部の両内側面に形成された突条で、該突条を金床形突起５の外側面に圧接させることにより隙間なく遊嵌できるようにしている。また、図３にこの支持構造体の裏面の部分拡大斜視図を示したように、各側壁２ａ〜２ｄの内側に間隔１３を隔てリブ１４によって連結した正方形升状の内壁２２が一体に形成され、該内壁２２と側壁２ａ〜２ｄの厚さを夫々４ｍｍ程度に設定することにより所要の強度，剛性が得られる。そして、該内壁２２の内側にさらに補強のため厚さ２ｍｍ程度の縦リブ７および横リブ８を升目状に複数形成している。
【０００６】
また、該縦リブ７に沿って上縁に複数の鉤状爪片９，９ａを適宜間隔を置いて突設し、横リブ８の上縁にも複数の鉤状爪片１０，１０ａを適宜間隔を置いて突設している。なお、上記爪片９，９ａのうちの爪片９ａについては、図１０にも示したように、縦リブ７の側面に一体に形成された平面コ字状の基部１１に突設される。また、爪片１０ａについても横リブ８の側面に一体に形成された平面コ字状の基部１２に突設される。
【０００７】
また、該支持構造体１の中央部と四隅角部と各側壁２ａ〜２ｄの中程内側に夫々上下に貫通状の円筒部１５（図では上面貫通部の形状は角孔）を形成し、図７に示したように、該各円筒部に下方から支脚１６が取着されるようにしている。該支脚１６は、雌ネジ体１７と、雌ネジ体に螺合するネジ軸１８と、該ネジ軸の下端を支持する弾性敷具１９からなり、該雌ネジ体１７の外周に形成された鍔部２０を円筒部１５に外嵌することにより取着され、強度上必要な本数を取着することにより該支持構造体１を略水平に支持する。そして該ネジ軸１８の上端部に一文字状の係合溝２１が形成され、マイナスドライバーを該係合溝に差し込んでネジ軸１８を回転することにより該ネジ軸が上下することから該支持構造体１の高さを調節できる。なお、２５はプラスチック材の肉盗みのためにスリット状，角筒状等に形成された貫通孔である。２６は該支持構造体１の上面に形成された窪部、２７は水抜孔である。
【０００８】
一方、図４〜図６に示したように、３０は複数の縦桟３１と複数の横桟３２とからなる格子状成形体で、該格子状成形体は前記支持構造体１と略々同径の正方形状で厚さ８ｍｍ程度にプラスチックで一体に成形され、該縦桟３１は上方に開口する横断面コ字状に形成することで上面に位置決溝３３を形成し、その溝底に透孔３４を複数開設している。また、横桟３２は下方に開口する横断面コ字状に形成され、その上面に透孔３５が複数開設されている。また、３７は縦桟３１と平行なるように一体に成形された横断面楔形の係合桟である。なお、縦桟３１は格子状成形体３０の横幅を３等分する位置と５等分する位置に形成されていることから計７本形成される。
【０００９】
また、５０は押出成形により下面に突条５１が一体に形成された樹脂含浸再生木材からなる表面板で、図示した表面板５０は格子状成形体３０の横幅を略５等分する幅より少し狭い幅員に形成されている。
【００１０】
上記支持構造体１は、ベランダ，バルコニー等の床面に並べ、隣り合う支持構造体どうしを蟻孔形溝３および半円形溝４に金床形突起５および半円形突起６を遊嵌することで連結するとともに、上記支脚１６のネジ軸１８を回転させ高さ調節をすることにより該支持構造体１を略水平に支持する。そして表面板５０を敷き詰めるにあたっては、上記格子状成形体３０の位置決溝３３に該表面板の突条５１を合致させ、該格子状成形体の下面から透孔３４にタッピングネジ５３を通し、該タッピングネジを位置決溝内に挿通することで該タッピングネジを該突条５１に螺合し、該格子状成形体３０の上面に表面板５０を固着する。こうしたうえで該格子状成形体３０を支持構造体１の上面に重畳し、上から押さえることで前記爪片９，９ａに係合桟３７に係合させる。これにより各表面板５０は格子状成形体３０を媒介として支持構造体１上に固定される。
【００１１】
その際、支持構造体１および格子状成形体３０は共に正方形状であるので支持構造体１に対して格子状成形体３０を水平面内で９０度回転させた状態で重畳すれば爪片１０，１０ａが係合桟３７に係合することから、各表面板５０を長手方向を所望方向にして支持構造体１上に固定することができる。このため、図１１に例示したように表面板５０の長手方向を交互に違えた配置が可能となる。
【００１２】
なお、上記爪片９ａおよび爪片１０ａは、図１０に例示したように、平面コ字状の基部１１，１２に突設したことから弾力性が増し、係合桟３７への充分な係合幅が確保され係合強度が得られる。
【００１３】
また、図１２に示したように、幅広の表面板６０を使用する場合は、格子状成形体３０の横幅を３等分する位置に形成された縦桟３１に該各表面板６０をタッピングネジ５３によって固着したうえで、該格子状成形体を支持構造体１上に固定することで、幅広の表面板６０でもこの格子状成形体３０を媒介とした固定ができる。
【００１４】
また、この実施形態では下面に突条５１が一体に形成された表面板５０を示したが、このような突条を形成した表面板に限らず、普通形状のウッドデッキ材，フロアパネルは勿論、タイル，人工芝，カーペット等の寸法，形状，強度等が異なる種々の表面板をも上記のように格子状成形体３０を媒介とすることにより簡単に支持構造体１上に固定できる。その際に前記透孔３５に固定手段としてのタッピングネジを挿通してもよい。そして、支持構造体１の形状は変更することなく、格子状成形体３０の形状を少しその表面板に合わせて変えるだけで、多様な表面板を敷き詰めることが可能であるので、トータルコストを軽減することができる。
【００１５】
なお、爪片９，９ａおよび爪片１０，１０ａ等の数は所要なる係合強度に従い適宜個数が形成される。また、この実施形態では、支持構造体１に爪片を形成したが、格子状成形体３０の下面に爪片を一体に形成し、該爪片を支持構造体１に係合させるようにしてもよい。
【００１６】
【発明の効果】
このように本発明に係るデッキの表面板取付施工方法は、デッキ構造が、プラスチック製で正方形升状に形成され支脚によって略水平に支持される支持構造体と、ウッドデッキ材，フロアパネル等の表面板と、該表面板を前記支持構造体の上面に重畳固定する際の媒介となるプラスチック製の格子状成形体とからなり、支持構造体の外側面に互いに嵌り合う溝と突起が形成されていて該支持構造体どうしを互いに連結し得るようにするとともに、格子状成形体は支持構造体と略々同径の正方形状に形成され、該格子状成形体が水平面内で９０度回転させた状態にて定置方向を問わず支持構造体上に固着されるように該支持構造体の上面に複数の爪片が突設され、該格子状成形体の上面に複数本の位置決溝が形成され、表面板の下面には突条が形成され、該位置決溝に該突条を合致させて該格子状成形体の下面から位置決溝内に挿通したタッピングネジを該突条に螺合することにより該格子状成形体の上面に複数枚の表面板を固着したうえ該格子状成形体を前記爪片に係合させるものであるので、簡単に種々の形状の表面板を取り付け施工することができるようにする有益な効果がある。
【図面の簡単な説明】
【図１】本発明の実施形態を示すデッキ構造の支持構造体の斜視図。
【図２】図１の部分拡大斜視図。
【図３】図１に示した支持構造体の裏面の部分拡大斜視図。
【図４】本発明の実施形態を示すデッキ構造の格子状成形体の斜視図。
【図５】図４の格子状成形体の平面図。
【図６】本発明の実施形態を示すデッキ構造の分解斜視図。
【図７】本発明の実施形態を示すデッキ構造の分解状態の縦断面図。
【図８】本発明の実施形態を示すデッキ構造の斜視図。
【図９】図８のＡ−Ａ線断面図。
【図１０】図８のＢ−Ｂ線断面図。
【図１１】本発明の実施形態を示すデッキ構造の斜視図。
【図１２】本発明の他の実施形態を示すデッキ構造の縦断面図。
【符号の説明】
１              支持構造体
３，４          溝
５，６          突起
７              縦リブ
８              横リブ
９，９ａ        爪片
１０，１０ａ    爪片
１６            支脚
３０            格子状成形体
３１            縦桟
３２            横桟
３３            位置決溝
３４            透孔
３７            係合桟
５０            表面板
５１            突条
５３            タッピングネジ
【図１】
0003866137.tif 000002
【図２】
0003866137.tif 000003
【図３】
0003866137.tif 000004
【図４】
0003866137.tif 000005
【図５】
0003866137.tif 000006
【図６】
0003866137.tif 000007
【図７】
0003866137.tif 000008
【図８】
0003866137.tif 000009
【図９】
0003866137.tif 000010
【図１０】
0003866137.tif 000011
【図１１】
0003866137.tif 000012
【図１２】
0003866137.tif 000013